(57)【要約】      （修正有）【課題】人力による監視のコストを省くことができ、有効に電器の保守点検のコストを削減できる電子装置監視システムを提供する。【解決手段】電子装置監視システムはサーバ、第１電子装置、および第１電力特徴認識装置を含む。第１電力特徴認識装置は第１電子装置の第１所定時間帯での複数の電圧時間特徴値、複数の電流時間特徴値、および複数の電圧電流特徴値をピックアップし、サーバに伝送する。サーバはこれらの特徴値に基づいて第１電子装置電力モードを生成し、第１電子装置電力モードに基づいて第１電子装置が正常に働いているかを監視する。【選択図】図１
0003227337.tif 000002
【実用新案登録請求の範囲】
【請求項１】
電子装置監視システムであって、
サーバと、
送電網に電気的に接続し、前記送電網から可変である第１電圧および第１電流が提供される第１電子装置と、
第１通信プロトコルにより前記サーバと通信接続を行い、前記第１電子装置および前記送電網の間に設けられ、前記第１電子装置の第１所定時間帯での複数の電圧時間特徴値、複数の電流時間特徴値、および複数の電圧電流特徴値をピックアップするための第１電力特徴認識装置と、を含み、
前記第１電力特徴認識装置が前記第１電子装置の前記複数の電圧時間特徴値、前記複数の電流時間特徴値、および前記複数の電圧電流特徴値を前記サーバに伝送し、前記サーバが前記第１電子装置の前記複数の電圧時間特徴値、前記複数の電流時間特徴値、および前記複数の電圧電流特徴値に基づいて、第１電子装置電力モードを生成し、
前記サーバが前記第１電子装置電力モードに基づいて前記第１電子装置が正常に働いているかどうかを監視する電子装置監視システム。
【請求項２】
前記第１電力特徴認識装置を介して前記送電網に電気的に接続する第２電子装置をさらに含み、
前記第１電力特徴認識装置が前記第２電子装置の第２所定時間帯での複数の電圧時間特徴値、複数の電流時間特徴値、および複数の電圧電流特徴値をピックアップするように用いられて、前記第１電力特徴認識装置が前記第２電子装置の前記複数の電圧時間特徴値、前記複数の電流時間特徴値、および前記複数の電圧電流特徴値を前記サーバに伝送し、前記サーバが前記第２電子装置の前記複数の電圧時間特徴値、前記複数の電流時間特徴値、および前記複数の電圧電流特徴値に基づいて、第２電子装置電力モードを生成し、
前記サーバが前記第２電子装置電力モードに基づいて前記第２電子装置が正常に働いているかどうかを監視する請求項１に記載の電子装置監視システム。
【請求項３】
前記送電網に電気的に接続し、前記送電網から可変である第２電圧および第２電流が提供される第２電子装置と、
第２通信プロトコルにより前記サーバと通信接続を行い、前記第２電子装置および前記送電網の間に設けられ、前記第２電子装置の第２所定時間帯での複数の電圧時間特徴値、複数の電流時間特徴値、および複数の電圧電流特徴値をピックアップするための第２電力特徴認識装置と、
をさらに含み、
前記第２電力特徴認識装置が前記第２電子装置の前記複数の電圧時間特徴値、前記複数の電流時間特徴値、および前記複数の電圧電流特徴値を前記サーバに伝送し、前記サーバが前記第２電子装置の前記複数の電圧時間特徴値、前記複数の電流時間特徴値、および前記複数の電圧電流特徴値に基づいて、第２電子装置電力モードを生成し、
前記サーバが前記第２電子装置電力モードに基づいて前記第２電子装置が正常に働いているかを監視する請求項１に記載の電子装置監視システム。
【請求項４】
前記第１電力特徴認識装置が、
処理モジュールと、
前記処理モジュールを電気的に接続する格納モジュールと
前記処理モジュールを電気的に接続する通信モジュール
前記処理モジュールを電気的に接続し、前記第１電子装置の複数の電圧時間特徴値、複数の電流時間特徴値、および複数の電圧電流特徴値をピックアップするための電力特徴ピックアップモジュールと、
前記処理モジュールを電気的に接続し、外部電圧を内部電圧に変換し、前記処理モジュ
ール、前記格納モジュール、前記電力特徴ピックアップモジュールに前記内部電圧を提供するための電源モジュールと、
を含み
前記処理モジュールが前記通信モジュールを介して前記サーバに前記第１電子装置の複数の電圧時間特徴値、複数の電流時間特徴値、および複数の電圧電流特徴値を提供する請求項１に記載の電子装置監視システム。
【請求項５】
前記第１電力特徴認識装置が、前記第１電子装置の前記複数の電圧時間特徴値、前記複数の電流時間特徴値、および前記複数の電圧電流特徴値を前記サーバに伝送し、前記サーバが前記第１電子装置の前記複数の電圧時間特徴値、前記複数の電流時間特徴値、および前記複数の電圧電流特徴値に基づいて、電圧ー周波数のスペクトラム解析、電流ー周波数のスペクトラム解析、または電圧・電流ー周波数の多次元スペクトラム解析を切り替えて第１電子装置電力モードを生成する請求項１に記載の電子装置監視システム。
【考案の詳細な説明】
【技術分野】
【０００１】
本考案は電子装置監視システムに関するものであり、特に電力特徴値を用いて監視を行う電子装置監視システムに関するものである。
【背景技術】
【０００２】
現在、電子装置の数量が多くなり、電子装置の使用状況の把握も難しくなり、特に家電類用品の使用年限が長くなるにつれ、ユーザはこれら家電の運転状況を徐々に無視することになる。しかし、多くのモノのインターネット機能を備える知恵型家電であっても、自我検出の機能を持たない。
【０００３】
従って、如何に電子装置の運転状況を監視可能な監視システムを提供するかは既に業界での一つの重要な課題になっている。
【考案の概要】
【０００４】
上述した事情に鑑み、本考案は電子装置監視システムを提供し、サーバ；送電網に電気的に接続し、前記送電網がそれに第１電圧および第１電流を提供し、かつ前記第１電圧および前記第１電流が可変である第１電子装置、および第１通信プロトコルにより前記サーバと通信接続を行い、前記第１電子装置および前記送電網の間に設けられ、前記第１電子装置の第１所定時間帯での複数の電圧時間特徴値、複数の電流時間特徴値、および複数の電圧電流特徴値をピックアップするための第１電力特徴認識装置、を含み、前記第１電力特徴認識装置が前記第１電子装置の前記複数の電圧時間特徴値、前記複数の電流時間特徴値、および前記複数の電圧電流特徴値を前記サーバに伝送し、前記サーバが前記第１電子装置の前記複数の電圧時間特徴値、前記複数の電流時間特徴値、および前記複数の電圧電流特徴値に基づいて第１電子装置電力モードを生成し、前記サーバが前記第１電子装置電力モードに基づいて前記第１電子装置が正常に働いているかを監視する。
【０００５】
以上のように、本考案は電力特徴ピックアップ装置により各電子装置の電子装置電力モードをピックアップし、そして各電子装置の電子装置電力モードに基づいて各電子装置の運転に問題があるかを監視し、これによって、人力による監視のコストを省くことができるだけではなく、有効に電器の保守点検のコストを削減することもできる。
【０００６】
本考案の上述した特徴や長所をより分かりやすくするために、以下、特に好ましい実施例を挙げ、そして付随図面に合わせて詳細に説明する。
【図面の簡単な説明】
【０００７】
【図１】図１は本考案に係る実施例における電子装置監視システムの模式図である。
【図２】図２は本考案に係る実施例における電子装置監視システムの他の模式図である。
【図３】図３は本考案に係る実施例における電子装置監視システムの他の模式図である。
【図４Ａ】図４Ａは本考案に係る実施例における第１電力特徴認識装置の模式図である。
【図４Ｂ】図４Ｂは本考案に係る実施例における第１電力特徴認識装置の他の模式図である。
【図５】図５は本考案に係る実施例における電子装置監視方法のフローチャートである。
【考案を実施するための形態】
【０００８】
以下、付随図面を参照してより十分に各種の例示的な実施例を叙述し、付随図面で若干の例示的な実施例を示す。しかし、本考案の概念は多くの異なる形式によって具現化されてよく、本文に叙述された例示的な実施例に限定されて解釈すべきではない。確実に言えば、これら例示的な実施例は本考案をより詳細的かつ全面的に理解するためのものであり、かつ当業者に十分に本考案の概念のカテゴリを伝達するためのものである。各図面において、より明らかにするために、層および区の大きさおよび相対的大きさを誇張して描く。類似した数字は常に類似した素子を指す。
【０００９】
理解すべきことは、本文で第１、第２、第３等の術語を使用して各種の素子を描く可能性があるものの、これら素子がこれら術語に制限されるわけではない。これら術語は一方の素子と他方の素子を区別するために用いられる。従って、後述した第１素子が第２素子と呼ばれても本考案の概念の教示を逸脱することがない。本文に使用されているように、「および／または」という術語は関連する列挙項目のうちのいずれか及び一つまたは複数の組み合わせの全てを含む。
【００１０】
以下、少なくとも一つの実施例を利用し、そして図面に合わせて電子装置監視システムを説明し、しかし、後述した実施例は本案の開示内容を制限するためのものではない。以下の叙述で、二つ以上の端点のある電子素子は特別な標記があれば、ピン標記をそのピンの叙述とし、特別な標記がなければ、横方向に設けられた両端点の電子素子は左側の端点を第１端とし、右側の端点を第２端とする。もし垂直に設けられた両端点の電子素子であれば、上側の端点を第１端とし、下側の端点を第２端とする。
〔本考案の電子装置監視システムの実施例〕
【００１１】
図１を参照し、図１は本考案に係る実施例における信号伝達システムの模式図である。
【００１２】
本実施例において、電子装置監視システム１が第１電力特徴認識装置１１、第１電子装置１２Ａ、およびサーバ１９を含む。
【００１３】
その中で、第１電子装置１２Ａが送電網１０に電気的に接続する。送電網１０が第１電子装置１２Ａに第１電圧および第１電流を提供する。第１電圧および第１電流が可変である。その中で、第１電圧及第１電流がそれぞれ交流電圧および交流電流である。第１電子装置１２Ａは運転時の電圧および電流が固定値ではなく、そして負荷の変化またはモードの切り替えにより第１電圧および第１電流が変化するので、第１電圧および第１電流が可変である。本実施例において、送電網１０が第１電子装置１２Ａに交流電圧を提供する。
【００１４】
第１電力特徴認識装置１１が第１電子装置１２Ａおよび送電網１０の間に設けられている。つまり、第１電力特徴認識装置１１が第１電子装置１２Ａが電源を取得する電源線材の一端に設けられている。
【００１５】
第１電力特徴認識装置１１が第１電子装置１２Ａの第１所定時間帯での複数の電圧時間特徴値、複数の電流時間特徴値、および複数の電圧電流特徴値をピックアップするためのものである。つまり、第１電力特徴認識装置１１は第１電子装置１２Ａが送電網に接続して電源を取得した後に第１所定時間帯での全ての電圧電流の特徴値をピックアップし、例えば１０分間または２０分間である。本実施例において、第１所定時間帯は電子装置の相違により異なり、本考案に制限がない。
【００１６】
なお、第１電力特徴認識装置１１が第１通信プロトコルによりサーバ１９と通信接続を行う。つまり、第１電力特徴認識装置１１が第１電子装置１２Ａの複数の電圧時間特徴値、複数の電流時間特徴値、および複数の電圧電流特徴値をサーバ１９に伝送する。
【００１７】
本実施例において、電圧時間特徴値、電流時間特徴、電圧電流特徴値が電圧最大値、電圧最小値、電圧平均値、電流最大値、電流最小値、電流平均値、サージ数量、異なる負荷での電圧電流変化、負荷切り替え時の電圧電流変化等を含む。本考案において、電子装置の電力特徴特徴値が実際の需要に応じて調整・設計を行ってよく、本考案に制限がない。
【００１８】
続いて、サーバ１９が第１電子装置１２Ａの複数の電圧時間特徴値、複数の電流時間特徴値、および複数の電圧電流特徴値に基づいて、第１電子装置電力モードを生成する。本実施例において、第１電子装置電力モードがグラフィックまたは一グループの数値で示され、第１電子装置１２Ａの通常運転時の各項パラメータをも示す。
【００１９】
その後、サーバ１９は第１電子装置電力モードに基づいて第１電子装置１１２Ａが正常に働いているかどうかを監視する。
【００２０】
第１電力特徴認識装置１１が第１電子装置１２Ａの電力特徴値を継続して記録しピックアップし、そして記録されピックアップされた第１電子装置１２Ａの電力特徴値を継続してサーバ１９に伝送する。サーバ１９は第１電子装置１２Ａの異なる時点での電力特徴に相違があるかを継続して比較することができ、もし著しい相違があれば、サーバ１９はネットワークを通じてユーザに第１電子装置１２Ａの異常を報告してよく、これによって、第１電子装置１２Ａに何らかのトラブルがありえることをユーザに通知する。
【００２１】
本実施例において、電力特徴認識装置の数量が実際の需要に応じて調整・設計を行ってよく、本考案に制限がない。電子装置の数量が実際の需要に応じて調整・設計を行ってよく、本考案に制限がない。
【００２２】
本実施例において、第１電子装置１２Ａが冷蔵庫、テレビ、洗濯機、送風機、充電器、ノートブック型コンピュータ、卓上型コンピュータ、ＬＥＤ照明器具等を含み、つまり、第１電子装置１２Ａが本考案において何らかの電子装置に限定されなく、本考案に制限がない。
【００２３】
図２を参照し、図２は本考案に係る実施例における電子装置監視システムの他の模式図である。
【００２４】
図２において、電子装置監視システム１が第１電子装置１２Ａの他、第２電子装置１２Ｂ、第３電子装置１２Ｃ、および第４電子装置１２Ｄを含み。第２電子装置１２Ｂ、第３電子装置１２Ｃ、および第４電子装置１２Ｄが第１電力特徴認識装置１１により送電網１０に電気的に接続する。
【００２５】
本実施例において、第１電力特徴認識装置１１が第１電子装置１２Ａの電力特徴値をピックアップしてもよく、第２電子装置１２Ｂの電力特徴値をピックアップしてもよい。
【００２６】
つまり、第１電力特徴認識装置１１が第２電子装置１２Ｂの第２所定時間帯での複数の電圧時間特徴値、複数の電流時間特徴値、および複数の電圧電流特徴値、第３電子装置１２Ｃの第３所定時間帯での複数の電圧時間特徴値、複数の電流時間特徴値、および複数の電圧電流特徴値、第２電子装置１２Ｄの第４所定時間帯での複数の電圧時間特徴値、複数の電流時間特徴値、および複数の電圧電流特徴値をピックアップすることができる。
【００２７】
第１電力特徴認識装置１１が第２電子装置１２Ｂ、第３電子装置１２Ｃ、第４電子装置１２Ｄの複数の電圧時間特徴値、複数の電流時間特徴値、および複数の電圧電流特徴値をサーバ１９にも伝送する。
【００２８】
サーバ１９が第２電子装置１２Ｂの複数の電圧時間特徴値、複数の電流時間特徴値、および複数の電圧電流特徴値に基づいて、第２電子装置電力モードを生成する。
【００２９】
続いて、サーバ１９が第２電子装置１２Ｂ、第３電子装置１２Ｃ、第４電子装置１２Ｄの複数の電圧時間特徴値、複数の電流時間特徴値、および複数の電圧電流特徴値に基づいて、それぞれ第２電子装置電力モード、第３電子装置電力モード、および第４電子装置電力モードを生成する。本実施例において、第１電子装置電力モード、第２電子装置電力モード、第３電子装置電力モードおよび第４電子装置電力モードがグラフィックまたは一グループの数値で示され、第１電子装置１２Ａ、第２電子装置１２Ｂ、第３電子装置１２Ｃ、第４電子装置１２Ｄのそれぞれの通常運転時の各項パラメータをも示す。
【００３０】
本実施例において、さらに、サーバ１９は受信された第１電子装置１２Ａの各項の特徴値に基づいて電圧ー周波数のスペクトラム解析、電流ー周波数のスペクトラム解析、または電圧・電流ー周波数の多次元スペクトラム解析に切り替えてもよい。それが実際の需要に応じて調整・設計を行ってよく、本考案に制限がない。
【００３１】
本実施例において、第１電子装置電力モード、第２電子装置電力モード、第３電子装置電力モード、第４電子装置電力モードが電圧ー周波数のスペクトラム解析での複数の電圧周波数特徴値、電流ー周波数のスペクトラム解析での複数の電流周波数特徴値、または電圧・電流ー周波数の多次元スペクトラム解析での複数の電圧電流周波数特徴値に基づいて生成しても良い。
【００３２】
つまり、第１電子装置電力モード、第２電子装置電力モード、第３電子装置電力モード、第４電子装置電力モードが第１電子装置１２Ａ、第２電子装置１２Ｂ、第３電子装置１２Ｃ、第４電子装置１２Ｄの複数の電圧時間特徴値、複数の電流時間特徴値、複数の電圧電流特徴値、複数の電圧周波数特徴値、複数の電流周波数特徴値、および複数の電圧電流周波数特徴値により定まってよい。
【００３３】
他の実施例において、第１電子装置電力モード、第２電子装置電力モード、第３電子装置電力モード、第４電子装置電力モードが第１電子装置１２Ａ、第２電子装置１２Ｂ、第３電子装置１２Ｃ、第４電子装置１２Ｄの複数の電圧時間特徴値、複数の電流時間特徴値、複数の電圧電流特徴値、複数の電圧周波数特徴値、複数の電流周波数特徴値、および複数の電圧電流周波数特徴値のうちの一つまたは上述した特徴値の組み合わせにより定まってよい、本考案に制限がない。
【００３４】
その中で、サーバ１９は第１電子装置電力モード、第２電子装置電力モード、第３電子装置電力モード、第４電子装置電力モードに基づいてそれぞれ第１電子装置１２Ａ、第２電子装置１２Ｂ、第３電子装置１２Ｃ、および第４電子装置１２Ｄが正常に働いているかどうかを監視する。
【００３５】
第１電力特徴認識装置１１が第１電子装置１２Ａ、第２電子装置１２Ｂ、第３電子装置１２Ｃ、および第４電子装置１２Ｄの電力特徴値を継続して記録しピックアップし、そして記録されピックアップされた第１電子装置１２Ａ、第２電子装置１２Ｂ、第３電子装置１２Ｃ、および第４電子装置１２Ｄの電力特徴値を継続してサーバ１９に伝送する。サーバ１９がそれぞれ第１電子装置１２Ａ、第２電子装置１２Ｂ、第３電子装置１２Ｃ、および第４電子装置１２Ｄの異なる時点での電力特徴に相違があるかを継続して比較することができ、もし著しい相違があれば、サーバ１９がネットワークを通じてユーザに第１電子装置１２Ａ、第２電子装置１２Ｂ、第３電子装置１２Ｃ、または第４電子装置１２Ｄの異常を報告してよく、これによって、第１電子装置１２Ａ、第２電子装置１２Ｂ、第３電子
装置１２Ｃ、または第４電子装置１２Ｄに何らかのトラブルがありえることをユーザに通知する。
【００３６】
図３を参照し、図３は本考案に係る実施例における電子装置監視システムの他の模式図である。
【００３７】
本実施例において、電子装置監視システム１’が第１電力特徴認識装置１１、第２電力特徴認識装置１３、第３電力特徴認識装置１５、第４電力特徴認識装置１７、第１電子装置１２Ａ、第２電子装置１２Ｂ、第３電子装置１２Ｃ、および第４電子装置１２Ｄを含む。
【００３８】
その中で、第１電子装置１２Ａ、第２電子装置１２Ｂ、第３電子装置１２Ｃ、および第４電子装置１２Ｄがそれぞれ第１電力特徴認識装置１１、第２電力特徴認識装置１３、第３電力特徴認識装置１５、第４電力特徴認識装置１７により送電網１０に電気的に接続する。
【００３９】
本実施例において、第１電力特徴認識装置１１、第２電力特徴認識装置１３、第３電力特徴認識装置１５、および第４電力特徴認識装置１７がそれぞれ第１通信プロトコル、第２通信プロトコル、第３通信プロトコル、第４通信プロトコルによりサーバ１９と通信接続を行う。その中で、第１通信プロトコル、第２通信プロトコル、第３通信プロトコル、第４通信プロトコルが同じ通信プロトコルまたは互いに異なる通信プロトコルであってもよく、本考案に制限がない。本実施例において、第１通信プロトコル、第２通信プロトコル、第３通信プロトコル、第４通信プロトコルがそれぞれブルートゥース通信プロトコル、ジグビー通信プロトコル（Ｚｉｇｂｅｅ）、ＬｏＲａ通信プロトコル、Ｓｉｇｆｏｘ通信プロトコル、ワイヤレスフィデリティ通信プロトコル（ＷｉＦｉ）、第４世代移動通信技術通信プロトコル（４Ｇ）、第５世代移動通信技術通信プロトコル（５Ｇ）を含み、それが実際の需要に応じて調整・設計を行ってよく、本考案に制限がない。
【００４０】
本実施例において、前記複数の電力特徴認識装置がそれぞれ対応する前記複数の電子装置のそれぞれの所定時間での複数の電圧時間特徴値、複数の電流時間特徴値、および複数の電圧電流特徴値をピックアップする。そして、これらの特徴値をサーバ１９に伝送する。すると、サーバ１９が対応する第１電子装置電力モード、第２電子装置電力モード、第３電子装置電力モード、および第４電子装置電力モードを生成する。前記複数の電力モードに基づいて前記複数の電子装置が正常に働いているかを判断する。
【００４１】
図４Ａおよび図４Ｂを参照し、図４Ａは本考案に係る実施例における第１電力特徴認識装置の模式図である。図４Ｂは本考案に係る実施例における第１電力特徴認識装置の他の模式図である。以下、第１電力特徴認識装置１１のみを例とし、他の電力特徴認識装置の構造および機能について、第１電力特徴認識装置１１と同じであるため、繰り返して説明する必要がない。
【００４２】
本実施例において、第１電力特徴認識装置１１が処理モジュール１１１、電力特徴ピックアップモジュール１１２、格納モジュール１１３、電源モジュール１１４、および通信モジュール１１５を含む。
【００４３】
その中で、処理モジュール１１１が電力特徴ピックアップモジュール１１２、格納モジュール１１３、電源モジュール１１４、および通信モジュール１１５を電気的に接続する。
【００４４】
電力特徴ピックアップモジュール１１が前記処理モジュールに電気的に接続し、接続し
た一つまたは複数の電子装置の複数の電圧時間特徴値、複数の電流時間特徴値、および複数の電圧電流特徴値をピックアップする。
【００４５】
電源モジュール１１４が外部電圧を内部電圧に変換し、そして処理モジュール１１１、格納モジュール１１３、電力特徴ピックアップモジュール１１２に内部電圧を提供するものであり、
【００４６】
処理モジュール１１１が通信モジュール１１５により接続した一つまたは複数の電子装置の複数の電圧時間特徴値、複数の電流時間特徴値、および複数の電圧電流特徴値をサーバ１９に提供する。
【００４７】
本実施例において、図４Ｂに示すように、第１用特徴認識装置１１は挿脱可能なソケットユニットである。他の実施例において、第１用特徴認識装置１１が他のタイプに設計されてもよく、例えば、電力回路のメインスイッチの中のコントロールスイッチに設けられ、実際の需要に応じて調整・設計を行ってよく、本考案に制限がない。
【００４８】
図５を参照し、図５は本考案に係る実施例における電子装置監視方法のフローチャートである。
【００４９】
本実施例における電子装置監視方法が上述した電子装置監視システムに適用するものであり、従って、上述した関連装置の構造や機能について、本実施例で繰り返して説明する必要がない。また、本実施例の電子装置監視方法が所定領域（図示しない）、つまり同一の電力回路がある所定領域に設けられた複数の電子装置への監視に適用する。
【００５０】
本実施例において、電子装置監視方法は以下のステップを含み、
【００５１】
第１電子装置および第２電子装置の複数の電圧時間特徴値、複数の電流時間特徴値、および複数の電圧電流特徴値をピックアップし（ステップＳ１１０）、
【００５２】
第１電子装置の複数の電圧時間特徴値、複数の電流時間特徴値、および複数の電圧電流特徴値、および第２電子装置の複数の電圧時間特徴値、複数の電流時間特徴値、および複数の電圧電流特徴値をサーバに伝送し（ステップＳ１２０）、
【００５３】
第１電子装置の複数の電圧時間特徴値、複数の電流時間特徴値、および複数の電圧電流特徴値、および第２電子装置の複数の電圧時間特徴値、複数の電流時間特徴値、および複数の電圧電流特徴値に基づいてそれぞれ第１電子装置電力モードおよび第２電子装置電力モードを生成し（ステップＳ１３０）、および
【００５４】
第１電子装置電力モードおよび第２電子装置電力モードに基づいて第１電子装置および第２電子装置が正常に働いているかを監視する（ステップＳ１４０）。
【００５５】
ステップＳ１１０で、単一の第１電力特徴ピックアップ装置１１により第１電子装置および第２電子装置の複数の電圧時間特徴値、複数の電流時間特徴値、および複数の電圧電流特徴値をピックアップし、または第１電力特徴ピックアップ装置１１および第２電力特徴ピックアップ装置１３によりそれぞれ第１電子装置および第２電子装置の複数の電圧時間特徴値、複数の電流時間特徴値、および複数の電圧電流特徴値をピックアップする。
【００５６】
ステップＳ１２０で、もし単一の第１電力特徴ピックアップ装置１１により第１電子装置および第２電子装置の複数の電圧時間特徴値、複数の電流時間特徴値、および複数の電圧電流特徴値をピックアップすれば、第１電力特徴ピックアップ装置１１が第１通信プロ
トコルによりサーバ１９と通信接続を行ってデータを伝送する。
【００５７】
もし第１電力特徴ピックアップ装置１１および第２電力特徴ピックアップ装置１３によりそれぞれ第１電子装置および第２電子装置の複数の電圧時間特徴値、複数の電流時間特徴値、および複数の電圧電流特徴値をピックアップすれば、第１電力特徴ピックアップ装置１１および第２電力特徴ピックアップ装置１３がそれぞれ第１通信プロトコルおよび第２通信プロトコルによりサーバ１９と通信接続を行ってデータを伝送する。
【００５８】
ステップＳ１３０で、サーバ１９が第１電子装置および第２電子装置の複数の電圧時間特徴値、複数の電流時間特徴値、および複数の電圧電流特徴値に基づいて第１電子装置電力モードおよび第２電子装置電力モードを生成するとともに、電子装置電力モードデータベースを作成する。第１電子装置電力モードおよび第２電子装置電力モードが電子装置電力モードデータベースに格納される。
【００５９】
ステップＳ１４０で、電力特徴認識装置が第１電子装置１２Ａ、第２電子装置１２Ｂの電力特徴値を継続して記録しピックアップし、そして記録されピックアップされた第１電子装置１２Ａ、第２電子装置１２Ｂの電力特徴値をサーバ１９に継続して伝送する。サーバ１９が第１電子装置１２Ａ、第２電子装置１２Ｂの異なる時点での電力特徴に相違があるかを継続して比較することができ、もし著しい相違があれば、サーバ１９がネットワークを通じて第１電子装置１２Ａ、第２電子装置１２Ｂの異常をユーザに報告してよく、これによって、第１電子装置１２Ａ、第２電子装置１２Ｂに何らかのトラブルがありえることをユーザに通知する。つまり、サーバ１９が受信された第１電子装置１２Ａ、第２電子装置１２Ｂの電力特徴値と電子装置電力モードデータベースに格納された第１電子装置電力モード、第２電子装置電力モードを継続して比較することができ、そして得られた比較結果をユーザに通知することができる。
【００６０】
また、電子装置電力モードデータベースには第１電子装置１２Ａおよび第２電子装置１２Ｂに対応する電子装置の名称および型番も格納されている。
〔実施例の産業上の利用可能性〕
【００６１】
以上のように、本考案は電力特徴ピックアップ装置により各電子装置の電子装置電力モードをピックアップし、各電子装置の電子装置電力モードに基づいて各電子装置の運転に問題があるかを監視し、これによって、人力による監視のコストを省くことができるだけではなく、有効に電器の保守点検のコストを削減することもできる。
【００６２】
以上は本考案の実施例にすぎず、本考案の請求範囲を制限するものではない。
【符号の説明】
【００６３】
１、１’    電子装置監視システム
１０    送電網
１１    第１電力特徴認識装置
１２Ａ    第１電子装置
１９    サーバ
１２Ｂ    第２電子装置
１２Ｃ    第３電子装置
１２Ｄ    第４電子装置
１３    第２電力特徴認識装置
１５    第３電力特徴認識装置
１７    第４電力特徴認識装置
１１１    処理モジュール
１１２    電力特徴ピックアップモジュール
１１３    格納モジュール
１１４    電源モジュール
１１５    通信モジュール
Ｓ１１０−Ｓ１４０    ステップ
【図１】
0003227337.tif 000003
【図２】
0003227337.tif 000004
【図３】
0003227337.tif 000005
【図４Ａ】
0003227337.tif 000006
【図４Ｂ】
0003227337.tif 000007
【図５】
0003227337.tif 000008